(57)【要約】  本発明は歯と歯の間に付着した歯石を効率的に除去する歯石除去器をより安価で、普及型を製造して、一般人が家庭でいつも使うことができる歯石除去器を提供する。  即ち、本発明は取っ手機能を有するケーシングの内部には電源供給手段を収納できる電源収納部と、回転速度がスィッチによって調節可能なモータが内蔵され、前記モータの原動軸には偏って設けられる振動子を軸固定し、前記振動子が電磁石の電源を連結及び短絡させることができるスィッチと選択的に連接し、前記ケーシング先側には電磁石収納部を形成して電磁石が設けられ、前記電磁石の下端には歯石除去用チップと一体に形成された永久磁石がスプリングによって上向弾力設けられ、電磁石の導通如何によって永久磁石が上下に微細高速振動するようにした。前記ケーシングの先側には組み立て可能なケーシングを備え、電磁石と永久磁石及びこれと一体に形成された歯石除去用チップを別途に交換できるようにし、本発明はモータによって回転駆動する振動子が電磁石スィッチを高速にＯＮ／ＯＦＦさせ、電磁石に対応する永久磁石の対応極性と磁力反発及び、接続する連続作動によって発生する微細な高速振動によって、歯石除去用チップに振動を与えて歯石を除去し、安価で、普及型の歯石除去器を提供できるので、国民の口腔衛生に大きく寄与することができる。
2007510454.tif 000002
【特許請求の範囲】
【請求項１】
取っ手機能を有するケーシングの内部には電源供給手段を収納できる電源収納部と、回転速度がスィッチによって調節可能なモータが内蔵され、前記モータの原動軸には偏って設けられる振動子を軸固定し、前記振動子が電磁石の電源を連結及び短絡させることができるスィッチと選択的に連接し、前記ケーシング先側には電磁石収納部を形成して電磁石が設けられ、前記電磁石の下端には歯石除去用チップと一体に形成された永久磁石が、スプリングによって上向弾力設けられたことを特徴とする歯石除去器。
【請求項２】
請求項１において、前記第１ケーシングの先側には組み立て可能な第２ケーシングを備え、電磁石と永久磁石及び、これと一体に形成された歯石除去用チップを着脱可能に設けたことを特徴とする歯石除去器。
【発明の詳細な説明】
【技術分野】
【０００１】
本発明は歯石除去器に関するものであり、歯と歯の間に付着した歯石を除去する歯石除去器をより安価で、普及型を製造し、一般人が家庭でいつも使うことができる歯石除去器を提供する。
【背景技術】
【０００２】
通常、歯に付着した歯石は、歯科に行って高い超音波振動を利用した歯石除去器を使って除去しており、一般人は忙しい時間を割いて歯科に行かなければならず、歯石除去による費用の負担が重いので、歯石除去がしばしばできない。
【０００３】
そして、このような 超音波振動を利用した歯石除去器は、普及型を製造するには高価であるので、開発の限界を感じるしかない。
【発明の開示】
【発明が解決しようとする課題】
【０００４】
本発明では、歯と歯の間に付着した歯石を除去できる歯石除去器を提供し、本発明は特に電磁石に電源を高速に連結及び短絡し、これによって発生する磁力による微細高速振動で歯石を除去するようにした安価で、普及型の歯石除去器を提供することに発明の技術的課題として本発明を完成するに至った。
【０００５】
添付された図面とともに詳細な説明によって本発明の目的と長所を十分に理解することができる。
【発明を実施するための最良の形態】
【０００６】
これら図面を参照して一実施例とともに本発明を詳しく説明すれば次のようである。
【０００７】
図１と図２を参照すれば、歯石除去器（１）は、取っ手機能を有するケーシング（２）の内部に、乾電池のような電源供給手段を収納できる電源収納部（３）が形成され、前記電源収納部（３）の先側にはモータ（４）が内蔵される。
【０００８】
前記モータ（４）の原動軸（５）には偏って設けられる振動子（６）を軸固定し、前記振動子（６）が電磁石（７）の電源を連結及び短絡させることができるスィッチ（８）と連接作動するようにする。
【０００９】
そしてケーシング（２）の先側には、これと直角方向に電磁石収納部（９）を形成して電磁石（７）が設けられ、電磁石（７）の下端には、電磁石（７）の磁力に反発する同じ極性を有する永久磁石（１０）がスプリング（１０a）によって上向弾力設けられ、電磁石（７）の電源の導通如何によって永久磁石 （１０）を押し出すか、スプリング（１０a）の弾性によって上向に電磁石（７）と密着される動作を連続的に行うことにより振動を発生させる。
【００１０】
前記永久磁石（１０）の下端には、ステンレス合金などに形成される歯石除去用チップ（１１）が一体に形成され、永久磁石（１０）とともに微細な上下振動をする。
【００１１】
前記永久磁石（１０）代りに電磁石（７）の磁力に反応する金属片（図示せず）をスプリング（１０a）によって下向に弾力設けても、その機能を同一にすることができ、このような変更実施例は容易に代替設計することができる。
【００１２】
一方、前記モータ（４）の電源を断続するスィッチ（１２）は、ケーシング（２）の外側に設け、モータ（４）の速度を抵抗値によってスピードをコントロールできるスィッチ（１２）を使用することが好ましい。
【００１３】
前記電磁石（７）と永久磁石（１０）及びこれと一体に形成された歯石除去用チップ（１１）は、ケーシング（２）の先側に別途のケーシング（２a）で組立結合するようにし、歯石除去用チップ（１１）が摩耗などによって寿命を全うし、新しいものに交換して使う場合に簡単に組み立てて使用することが好ましく、このような歯石除去用チップ（１１）が設けられたケーシング（２a）は、図３のようにケーシング（２）の長さ方向と同一に構成することもできる。図の符号１３は、乾電池または充電可能な蓄電池を示し、１４は電源ケーブルを示す。
【００１４】
前記のように構成されうる本発明の歯石除去器（１）は、歯の間に付着した歯石を除去する場合に使用されるものであり、使用者がケーシング（２）を片手に握ってモータ（４）の電源をスィッチ（１２）をＯＮすると、モータ（４）が駆動して原動軸（５）に偏って設けられた振動子（６）が回転し、振動子（６）の回転半径内にある電磁石（７）スィッチ（８）がＯＮ／ＯＦＦ動作が連続して行われ、このようなスィッチ（８）の連続してＯＮ／ＯＦＦ動作によって、電磁石（７）は電源が導通及び短絡される動作を行い、対応する永久磁石（１０）の対応極性を押してから、スプリング（１０a）の復元弾性によって、また接続される動作を連続して繰り返し、永久磁石（１０）に振動が与えられ、このような永久磁石（１０）の振動は、一体に形成された歯石除去用チップ（１１）に伝達し、歯と歯の間の歯石を微細な高速振動によって容易に除去できる。
【産業上の利用可能性】
【００１５】
以上で詳しく説明したように本発明で提供する歯石除去器（１）は、モータ（４）によって回転駆動する振動子（６）が電磁石（７）スィッチ（８）を高速にＯＮ／ＯＦＦさせ、電磁石（７）に対応する永久磁石（１０）の対応極性と磁力反発及び、接続する連続作動によって発生する微細な高速振動によって、歯石除去用チップ（１１）に振動を与えて歯石を除去するものであり、本発明によれば、安価で、普及型の歯石除去器を提供できるので、国民の口腔衛生に大きく寄与することができるなど、期待される効果が大きい発明である。
【００１６】
本発明は好ましい実施例を参照して説明したが、実施例と添付された請求項に限定するものではない。当業者であれば本発明の思想と範囲内で実施例の修正、変更などが可能である。
【図面の簡単な説明】
【００１７】
【図１】本発明の好ましい一実施例を示す歯石除去器の断面構成図。
【図２】本発明の要部を示す分解状態断面図。
【図３】本発明の要部中に他の実施例を示す断面図。
【図１】
2007510454.tif 000003
【図２】
2007510454.tif 000004
【図３】
2007510454.tif 000005
【国際調査報告】
2007510454.tif 000006
2007510454.tif 000007